(57)【要約】【課題】良好な光学性能を維持しつつ、全長を短縮した撮像レンズを提供すること。【解決手段】撮像レンズは、物体側から像側へ順に配置される、第１、第２、第３、第４のレンズ素子を備える。第１のレンズ素子は、正の屈折力を有し、物体側に凸面を有する。第２のレンズ素子は、負の屈折力を有し、像側にレンズの周縁部近傍に凸部を含む面を有する。第３のレンズ素子は、像側に凸面を有する。第４のレンズ素子は、物体側に光軸近傍に凸部を含む面と、像側に光軸近傍に凹部および周縁部近傍に凸部を含む曲面を有する。【選択図】図１
2014044422.tif 000002
【特許請求の範囲】
【請求項１】
撮像レンズであって、
各々が物体側に向いた物体側の面と像側に向いた像側の面とを有する第１のレンズ素子、第２のレンズ素子、第３のレンズ素子、および第４のレンズ素子のみを、屈折力を有するレンズ素子として備えるとともに、第１乃至第４の順に物体側から像側へ配置されてなり、
前記第１のレンズ素子は、正の屈折力を有するとともに、凸面をなす前記物体側の面を有し、
前記第２のレンズ素子は、負の屈折力を有するとともに、周縁部近傍に凸部をなす前記像側の面を有し、
前記第３のレンズ素子は、凸面をなす前記像側の面を有し、
前記第４のレンズ素子は、
当該撮像レンズの光軸近傍に凸部をなす前記物体側の面と、
曲面をなすとともに周縁部近傍に凸部をなし、且つ当該撮像レンズの光軸近傍に凹部をなす前記像側の面と、を有する
ことを特徴とする撮像レンズ。
【請求項２】
当該撮像レンズは、
ＥＦＬ／ＡＧ23≦４５．０、ここで、ＥＦＬは当該撮像レンズの有効焦点距離を表すとともに、ＡＧ23は当該撮像レンズの光軸における前記第２のレンズ素子の前記像側の面と前記第３のレンズ素子の前記物体側の面との間の距離を表す、
を満たすことを特徴とする請求項１に記載の撮像レンズ。
【請求項３】
当該撮像レンズは、
１≦ＡＧ12／ＡＧ23、ここで、ＡＧ12は当該撮像レンズの光軸における前記第１のレンズ素子の前記像側の面と前記第２のレンズ素子の前記物体側の面との間の距離を表す、
をさらに満たすことを特徴とする請求項２に記載の撮像レンズ。
【請求項４】
前記第２のレンズ素子は、当該撮像レンズの光軸近傍に凸部をなす前記像側の面をさらに有し、
当該撮像レンズは、１≦ＡＧ12／ＡＧ23≦５をさらに満たす
ことを特徴とする請求項３に記載の撮像レンズ。
【請求項５】
当該撮像レンズは、０．８≦ＥＦＬ≦３．０をさらに満たすことを特徴とする請求項２に記載の撮像レンズ。
【請求項６】
当該撮像レンズは、
ＡＡＧ／ＣＴ2≦３．０、ここで、ＡＡＧは、前記光軸における前記第１のレンズ素子の前記像側の面と前記第２のレンズ素子の前記物体側の面との間の距離と、前記光軸における前記第２のレンズ素子の前記像側の面と前記第３のレンズ素子の前記物体側の面との間の距離と、前記光軸における前記第３のレンズ素子の前記像側の面と前記第４のレンズ素子の前記物体側の面との間の距離と、の和を表し、ＣＴ2は、前記光軸における前記第２のレンズ素子の前記物体側の面と前記像側の面との間の距離を表す、
を満たすことを特徴とする請求項１に記載の撮像レンズ。
【請求項７】
当該撮像レンズは、
ＡＬＴ／ＣＴ2≦８．０、ここで、ＡＬＴは、前記光軸における前記第１のレンズ素子の前記物体側の面と前記像側の面との間の距離と、前記光軸における前記第２のレンズ素子の前記物体側の面と前記像側の面との間の距離と、前記光軸における前記第３のレンズ素子の前記物体側の面と前記像側の面との間の距離と、前記光軸における前記第４のレンズ素子の前記物体側の面と前記像側の面との間の距離と、の和を表し、ＣＴ2は、前記光軸における前記第２のレンズ素子の前記物体側の面と前記像側の面との間の距離を表す、
をさらに満たすことを特徴とする請求項１に記載の撮像レンズ。
【請求項８】
当該撮像レンズは、
１≦ＡＧ12／ＡＧ23≦５、ここで、ＡＧ12は当該撮像レンズの光軸における前記第１のレンズ素子の前記像側の面と前記第２のレンズ素子の前記物体側の面との間の距離を表し、ＡＧ23は当該撮像レンズの光軸における前記第２のレンズ素子の前記像側の面と前記第３のレンズ素子の前記物体側の面との間の距離を表す、
をさらに満たすことを特徴とする請求項７に記載の撮像レンズ。
【発明の詳細な説明】
【技術分野】
【０００１】
本発明は、撮像レンズに関し、より具体的には、４つのレンズ素子を有する撮像レンズに関するものである。
【背景技術】
【０００２】
近年、携帯型電子機器（例えば、携帯電話機およびデジタルカメラ）の普及に伴って、携帯型電子機器の大きさを縮小することに多くの力が注がれている。また、電荷結合素子（ＣＣＤ：Ｃｈａｒｇｅｄ  Ｃｏｕｐｌｅｄ  Ｄｅｖｉｃｅ）および相補型金属酸化膜半導体（ＣＭＯＳ：Ｃｏｍｐｌｅｍｅｎｔａｒｙ  Ｍｅｔａｌ‐Ｏｘｉｄｅ  Ｓｅｍｉｃｏｎｄｕｃｔｏｒ）による光学センサの大きさが縮小されると、それに応じて、光学センサと共に用いる撮像レンズの寸法が、光学性能を著しく損なうことなく、縮小されなければならない。
【０００３】
特許文献１は、４つのレンズ素子を有する従来の撮像レンズを開示している。これは、負の屈折力を有する第１のレンズ素子と、正の屈折力を有する第２のレンズ素子と、その光軸近傍および周縁部が凹状である像側の面を有する第３のレンズ素子と、その光軸近傍および周縁部が凸状である像側の面を有する第４のレンズ素子と、を含むものである。この文献で提案されている設計では、良好な光学性能を維持しつつ、系の全長を縮小することが不可能である。
【０００４】
特許文献２、特許文献３、特許文献４のそれぞれは、４つのレンズ素子を有する従来の撮像レンズを開示している。これらは、負の屈折力を有し、それらの間隔が比較的大きい第１と第２のレンズ素子を含むものである。これらの文献で提案されている設計では、系の長さの効果的な縮小を実現することが不可能である。
【０００５】
特許文献５、特許文献６のそれぞれは、４つのレンズ素子を有する従来の撮像レンズを開示している。これらは、正の屈折力を有する第１のレンズ素子と、負の屈折力を有する第２のレンズ素子を含むものである。ところが、第２のレンズ素子の像側の面全体が凹面であるため、第２と第３のレンズ素子の間隔が比較的大きく、このことは、系の長さの縮小のためには好ましくない。
【０００６】
特許文献７、特許文献８、特許文献９、特許文献１０、特許文献１１、特許文献１２、特許文献１３、特許文献１４、特許文献１５のそれぞれは、従来の撮像レンズを開示している。これらも同様に、光学性能を損なうことなく、系の長さの縮小を実現することが不可能なものである。
【先行技術文献】
【特許文献】
【０００７】
【特許文献１】米国特許出願公開第２０１１／０２９９１７８号
【特許文献２】米国特許出願公開第２０１１／０２４２６８３号
【特許文献３】米国特許出願公開第２０１１／０１８８１３２号
【特許文献４】米国特許出願公開第２０１１／０１８８１３３号
【特許文献５】米国特許出願公開第２０１１／０２６１４７１号
【特許文献６】米国特許出願公開第２０１２／０１７６６８７号
【特許文献７】台湾特許第Ｉ２７９６０７号
【特許文献８】台湾特許出願公開第２０１１３７４２９号
【特許文献９】米国特許第７７５５８５３号
【特許文献１０】米国特許第７６９２８７７号
【特許文献１１】米国特許第８０８９７０４号
【特許文献１２】米国特許出願公開第２０１１／００５８２６２号
【特許文献１３】米国特許出願公開第２０１２／００６９４４９号
【特許文献１４】特開２０１１−０６４９８９号公報
【特許文献１５】特開２０１２−０４２８４０号公報
【発明の概要】
【発明が解決しようとする課題】
【０００８】
このように、携帯型電子機器用の撮像系の開発における現在の傾向は、撮像系の全長を縮小することに重点を置いていることは明らかである。上記特許文献１〜１５記載の撮像レンズは小型化への対応は、不十分であった。しかしながら、全長を縮小すると、撮像系の光学性能および撮像品質への影響することがある。
【課題を解決するための手段】
【０００９】
そこで、本発明の目的は、良好な光学性能を維持しつつ、全長を短縮した撮像レンズを提供することである。
【００１０】
前述した課題を解決するための発明では、撮像レンズは、物体側から像側へ順に配置される、第１、第２、第３、第４のレンズ素子を備える。第１、第２、第３、第４のレンズ素子の各々は、物体側に向いた物体側の面と、像側に向いた像側の面とを有する。
【００１１】
第１のレンズ素子は、正の屈折力を有し、その物体側の面は凸面である。
【００１２】
第２のレンズ素子は、負の屈折力を有し、その像側の面は、該第２のレンズ素子の周縁部近傍に凸部を有する。
【００１３】
第３のレンズ素子の像側の面は凸面である。
【００１４】
第４のレンズ素子の物体側の面は、撮像レンズの光軸近傍に凸部を有する。
【００１５】
第４のレンズ素子の像側の面は、曲面であって、撮像レンズの光軸近傍に凹部を有し、該第４のレンズ素子の周縁部近傍に凸部を有する。
【００１６】
撮像レンズは、第１、第２、第３、第４のレンズ素子の他には、屈折力を有するレンズ素子を備えていない。
【００１７】
本発明の他の特徴ならびに効果は、添付の図面に関する以下の好ましい実施形態の詳細な説明において明らかになるであろう。
【図面の簡単な説明】
【００１８】
【図１】撮像レンズの第１の好ましい実施形態を示す模式図である。
【図２】第１の好ましい実施形態の撮像レンズに対応するいくつかの光学パラメータの値を示している。
【図３】第１の好ましい実施形態の撮像レンズに対応する光学的関係のいくつかのパラメータの値を示している。
【図４】（ａ）〜（ｄ）は、第１の好ましい実施形態の撮像レンズの様々な光学特性を示している。
【図５】空間軸を示す模式図である。
【図６】撮像レンズの第２の好ましい実施形態を示す模式図である。
【図７】第２の好ましい実施形態の撮像レンズに対応するいくつかの光学パラメータの値を示している。
【図８】第２の好ましい実施形態の撮像レンズに対応する光学的関係のいくつかのパラメータの値を示している。
【図９】（ａ）〜（ｄ）は、第２の好ましい実施形態の撮像レンズの様々な光学特性を示している。
【図１０】撮像レンズの第３の好ましい実施形態を示す模式図である。
【図１１】第３の好ましい実施形態の撮像レンズに対応するいくつかの光学パラメータの値を示している。
【図１２】第３の好ましい実施形態の撮像レンズに対応する光学的関係のいくつかのパラメータの値を示している。
【図１３】（ａ）〜（ｄ）は、第３の好ましい実施形態の撮像レンズの様々な光学特性を示している。
【図１４】撮像レンズの第４の好ましい実施形態を示す模式図である。
【図１５】第４の好ましい実施形態の撮像レンズに対応するいくつかの光学パラメータの値を示している。
【図１６】第４の好ましい実施形態の撮像レンズに対応する光学的関係のいくつかのパラメータの値を示している。
【図１７】（ａ）〜（ｄ）は、第４の好ましい実施形態の撮像レンズの様々な光学特性を示している。
【図１８】撮像レンズの第５の好ましい実施形態を示す模式図である。
【図１９】第５の好ましい実施形態の撮像レンズに対応するいくつかの光学パラメータの値を示している。
【図２０】第５の好ましい実施形態の撮像レンズに対応する光学的関係のいくつかのパラメータの値を示している。
【図２１】（ａ）〜（ｄ）は、第５の好ましい実施形態の撮像レンズの様々な光学特性を示している。
【図２２】撮像レンズの第６の好ましい実施形態を示す模式図である。
【図２３】第６の好ましい実施形態の撮像レンズに対応するいくつかの光学パラメータの値を示している。
【図２４】第６の好ましい実施形態の撮像レンズに対応する光学的関係のいくつかのパラメータの値を示している。
【図２５】（ａ）〜（ｄ）は、第６の好ましい実施形態の撮像レンズの様々な光学特性を示している。
【図２６】第１〜第６の好ましい実施形態の撮像レンズに対応する他の光学的関係のパラメータの値を示す表である。
【図２７】撮像レンズの第１の適用例を示す部分断面模式図である。
【図２８】撮像レンズの第２の適用例を示す部分断面模式図である。
【発明を実施するための形態】
【００１９】
本実施形態についてより詳細に説明するに当たり、留意されるべきことは、類似の要素は、本開示全体を通して同一の符号で示しているということである。
【００２０】
図１を参照する。本実施形態の撮像レンズ１０は、光軸（Ｉ）に沿って物体側から像側へ順に配置される、開口絞り２と、第１、第２、第３、第４のレンズ素子３〜６と、光学フィルタ７と、を備える。光学フィルタ７は、赤外光を選択的に吸収するための赤外線カットフィルタであり、これによって、像面８に形成される画像の欠陥を軽減する。
【００２１】
第１、第２、第３、第４のレンズ素子３〜６、および光学フィルタ７のそれぞれは、物体側に向いた物体側の面３１、４１、５１、６１、７１と、像側に向いた像側の面３２、４２、５２、６２、７２と、を有する。撮像レンズ１０に入射する光は、順に、開口絞り２、第１のレンズ素子３の物体側の面３１と像側の面３２、第２のレンズ素子４の物体側の面４１と像側の面４２、第３のレンズ素子５の物体側の面５１と像側の面５２、第４のレンズ素子６の物体側の面６１と像側の面６２、光学フィルタ７の物体側の面７１と像側の面７２を通って進み、像面８に画像を形成する。物体側の面３１、４１、５１、６１および像側の面３２、４２、５２、６２のそれぞれは、非球面であり、光軸（Ｉ）と一致する中心点を有する。
【００２２】
製造の際に、第１のレンズ素子３は、平坦状または階段状とすることができる周縁拡張部を備えて形成され得る。機能の面では、物体側の面３１と像側の面３２は、第１のレンズ素子３を通り抜ける光の通過を可能にするように構成されるのに対し、拡張部は、単に取り付け機能を提供する役目を果たすにすぎず、第１のレンズ素子３の光の通過に資するものではない。また、その他のレンズ素子４〜６も、第１のレンズ素子３のものと同様の拡張部を備えて形成され得る。
【００２３】
レンズ素子３〜６は、本実施形態ではプラスチック材料で構成されており、他の実施形態では、そのうちの少なくとも１つを他の材料で構成することができる。
【００２４】
図１に示す第１の好ましい実施形態では、第１のレンズ素子３は、正の屈折力を有し、その物体側の面３１は凸面であり、その像側の面３２は、曲面であって、光軸（Ｉ）近傍に凹部３２１を有し、該第１のレンズ素子３の周縁部近傍に凸部３２２を有する。
【００２５】
第２のレンズ素子４は、負の屈折力を有し、その物体側の面４１は凹面であり、その像側の面４２は、凸面であって、光軸（Ｉ）近傍に凸部４２１を有し、該第２のレンズ素子４の周縁部近傍に別の凸部４２２を有する。
【００２６】
第３のレンズ素子５は、正の屈折力を有し、その物体側の面５１は凹面であり、その像側の面５２は凸面である。
【００２７】
第４のレンズ素子６は、負の屈折力を有し、その物体側の面６１は、曲面であって、光軸（Ｉ）近傍に凸部６１１を有し、該第４のレンズ素子６の周縁部近傍に凹部６１２を有し、また、その像側の面６２は、曲面であって、光軸（Ｉ）近傍に凹部６２１を有し、該第４のレンズ素子６の周縁部近傍に凸部６２２を有する。
【００２８】
第１の好ましい実施形態の面３１〜６１、３２〜６２に対応するいくつかの光学パラメータの値を示す表を、図２に示している。撮像レンズ１０は、全系の焦点距離が１．８７８ｍｍ、半視野（ＨＦＯＶ：Ｈａｌｆ  Ｆｉｅｌｄ‐Ｏｆ‐Ｖｉｅｗ）が３５．２３°、系の長さ（第一のレンズ素子３の物体側の面３１から像面８までの距離）が２．５１９ｍｍである。
【００２９】
本実施形態では、物体側の面３１〜６１および像側の面３２〜６２の各々は非球面であって、次の光学的関係を満たしている。
【００３０】
【数１】
2014044422.tif 000003
ここで、
ｚは、非球面の深さを表し、これは、非球面上の任意の点と、光軸（Ｉ）における非球面の頂点の接平面との間の垂直距離と定義される。
ｃは、非球面の頂点曲率を表す。
Ｋは、円錐定数を表す。
ｒは、半径方向距離を表し、ｒ＝√（ｘ2＋ｙ2）の関係を満たしている。
ｕは、ｒ／ｒnを表し、このとき、ｒnは、正規化半径（ＮＲＡＤＩＵＳ）を表す。
ａmは、ｍ番目のＱcon係数を表す。
Ｑmconは、ｍ番目のＱcon多項式を表す。
このとき、ｘ、ｙ、ｚは、図５に示すような関係にあり、また、ｚ軸は光軸（Ｉ）である。
【００３１】
第１の好ましい実施形態に対応する上記の光学的関係（１）のいくつかの光学パラメータの値を示す表を、図３に示している。
【００３２】
第１の好ましい実施形態に対応する上記の光学パラメータのいくつかの間の関係は、以下のとおりである。
【００３３】
【数２】
2014044422.tif 000004
【００３４】
【数３】
2014044422.tif 000005
【００３５】
【数４】
2014044422.tif 000006
【００３６】
【数５】
2014044422.tif 000007
ここで、
ＡＬＴは、光軸（Ｉ）における第１のレンズ素子３の物体側の面３１と像側の面３２との間の距離と、光軸（Ｉ）における第２のレンズ素子４の物体側の面４１と像側の面４２との間の距離と、光軸（Ｉ）における第３のレンズ素子５の物体側の面５１と像側の面５２との間の距離と、光軸（Ｉ）における第４のレンズ素子６の物体側の面６１と像側の面６２との間の距離と、の和を表す。
ＣＴ2は、光軸（Ｉ）における第２のレンズ素子４の物体側の面４１と像側の面４２との間の距離を表す。
ＡＡＧは、光軸（Ｉ）における第１のレンズ素子３の像側の面３２と第２のレンズ素子４の物体側の面４１との間の距離と、光軸（Ｉ）における第２のレンズ素子４の像側の面４２と第３のレンズ素子５の物体側の面５１との間の距離と、光軸（Ｉ）における第３のレンズ素子５の像側の面５２と第４のレンズ素子６の物体側の面６１との間の距離と、の和を表す。
ＡＧ12は、光軸（Ｉ）における第１のレンズ素子３の像側の面３２と第２のレンズ素子４の物体側の面４１との間の距離を表す。
ＡＧ23は、光軸（Ｉ）における第２のレンズ素子４の像側の面４２と第３のレンズ素子５の物体側の面５１との間の距離を表す。
ＢＦＬは、光軸（Ｉ）における第４のレンズ素子６の像側の面６２と撮像レンズ１０の像面８との間の距離を表す。
ＥＦＬ（Ｅｆｆｅｃｔｉｖｅ  Ｆｏｃａｌ  Ｌｅｎｇｔｈ：有効焦点距離）は、撮像レンズ１０の系焦点距離を表す。
【００３７】
図４（ａ）〜４（ｄ）は、第１の好ましい実施形態の縦球面収差、サジタル非点収差、タンジェンシャル非点収差、歪曲収差にそれぞれ対応するシミュレーション結果を示している。このシミュレーション結果の各々では、４７０ｎｍ、５５５ｎｍ、６５０ｎｍの波長にそれぞれ対応する曲線を示している。
【００３８】
図４（ａ）から分かるように、縦球面収差に対応する曲線の各々では、（縦軸で示す）各視野での焦点距離が±０．０６ｍｍの範囲内にあるので、第１の好ましい実施形態では、各波長で比較的低い球面収差を実現することが可能である。また、各視野での曲線間の焦点距離のずれが±０．０２ｍｍの範囲を超えないので、第１の好ましい実施形態では、色収差が比較的低い、結像性能がよいです。
【００３９】
図４（ｂ）および４（ｃ）から分かるように、これらの曲線の各々は、±０．０８ｍｍの焦点距離の範囲内にあり、サジタル非点収差に対応する曲線の各々は、±０．０４ｍｍの焦点距離の範囲内にあるので、第１の好ましい実施形態では、光学収差が比較的低い、結像性能がよいです。
【００４０】
さらに、図４（ｄ）に示すように、歪曲収差に対応する曲線の各々は、±５％の範囲内にあるので、第１の好ましい実施形態は、多くの光学系の撮像品質要求を満たすことが可能である。
【００４１】
上記のことから、第１の好ましい実施形態の撮像レンズ１０は、系の長さを３ｍｍ未満にまで縮小したとしても、依然として比較的良好な光学性能を実現することが可能である。
【００４２】
図６は、撮像レンズ１０の第２の好ましい実施形態を示しており、これは、第１の好ましい実施形態と類似の構成を有している。
【００４３】
第２の好ましい実施形態の面３１〜６１、３２〜６２に対応するいくつかの光学パラメータの値を示す表を、図７に示している。撮像レンズ１０は、全系の焦点距離が２．００ｍｍ、ＨＦＯＶが３３．４６°、系の長さが２．６４３ｍｍである。
【００４４】
第２の好ましい実施形態に対応する上記の光学的関係（１）のいくつかの光学パラメータの値を示す表を、図８に示している。
【００４５】
第２の好ましい実施形態に対応する上記の光学パラメータのいくつかの間の関係は、以下のとおりである。
【００４６】
【数６】
2014044422.tif 000008
【００４７】
【数７】
2014044422.tif 000009
【００４８】
【数８】
2014044422.tif 000010
【００４９】
【数９】
2014044422.tif 000011
【００５０】
図９（ａ）〜９（ｄ）は、第２の好ましい実施形態の縦球面収差、サジタル非点収差、タンジェンシャル非点収差、歪曲収差にそれぞれ対応するシミュレーション結果を示している。図９（ａ）、９（ｂ）、９（ｃ）、９（ｄ）から分かるように、第２の好ましい実施形態では、系の長さを３ｍｍ未満にまで縮小したとしても、比較的良好な光学性能を実現することが可能である。
【００５１】
図１０を参照する。第１と第３の好ましい実施形態の違いは、第１のレンズ素子３の像側の面３２が凸面であることにある。
【００５２】
第３の好ましい実施形態の面３１〜６１、３２〜６２に対応するいくつかの光学パラメータの値を示す表を、図１１に示している。撮像レンズ１０は、全系の焦点距離が２．２２３ｍｍ、ＨＦＯＶが３１．１４°、系の長さが２．８８０ｍｍである。
【００５３】
第３の好ましい実施形態に対応する上記の光学的関係（１）のいくつかの光学パラメータの値を示す表を、図１２に示している。
【００５４】
第３の好ましい実施形態に対応する上記の光学パラメータのいくつかの間の関係は、以下のとおりである。
【００５５】
【数１０】
2014044422.tif 000012
【００５６】
【数１１】
2014044422.tif 000013
【００５７】
【数１２】
2014044422.tif 000014
【００５８】
【数１３】
2014044422.tif 000015
【００５９】
図１３（ａ）〜１３（ｄ）は、第３の好ましい実施形態の縦球面収差、サジタル非点収差、タンジェンシャル非点収差、歪曲収差にそれぞれ対応するシミュレーション結果を示している。図１３（ａ）、１３（ｂ）、１３（ｃ）、１３（ｄ）から分かるように、第３の好ましい実施形態では、同様に、系の長さを３ｍｍ未満にまで縮小したとしても、比較的良好な光学性能を実現することが可能である。
【００６０】
図１４を参照する。第１と第４の好ましい実施形態の違いは、第１のレンズ素子３の像側の面３２が凹面であることにある。
【００６１】
第４の好ましい実施形態の面３１〜６１、３２〜６２に対応するいくつかの光学パラメータの値を示す表を、図１５に示している。撮像レンズ１０は、全系の焦点距離が１．９９９ｍｍ、ＨＦＯＶが３３．８３°、系の長さが２．６０８ｍｍである。
【００６２】
第４の好ましい実施形態に対応する上記の光学的関係（１）のいくつかの光学パラメータの値を示す表を、図１６に示している。
【００６３】
第４の好ましい実施形態に対応する上記の光学パラメータのいくつかの間の関係は、以下のとおりである。
【００６４】
【数１４】
2014044422.tif 000016
【００６５】
【数１５】
2014044422.tif 000017
【００６６】
【数１６】
2014044422.tif 000018
【００６７】
【数１７】
2014044422.tif 000019
【００６８】
図１７（ａ）〜１７（ｄ）は、第４の好ましい実施形態の縦球面収差、サジタル非点収差、タンジェンシャル非点収差、歪曲収差にそれぞれ対応するシミュレーション結果を示している。図１７（ａ）、１７（ｂ）、１７（ｃ）、１７（ｄ）から分かるように、第４の好ましい実施形態では、同様に、系の長さを３ｍｍ未満にまで縮小したとしても、比較的良好な光学性能を実現することが可能である。
【００６９】
図１８を参照する。第１と第５の好ましい実施形態の違いは、第１のレンズ素子３の像側の面３２が凹面であることにある。
【００７０】
第５の好ましい実施形態の面３１〜６１、３２〜６２に対応するいくつかの光学パラメータの値を示す表を、図１９に示している。撮像レンズ１０は、全系の焦点距離が１．７９２ｍｍ、ＨＦＯＶが３６．６６°、系の長さが２．４８６ｍｍである。
【００７１】
第５の好ましい実施形態に対応する上記の光学的関係（１）のいくつかの光学パラメータの値を示す表を、図２０に示している。
【００７２】
第５の好ましい実施形態に対応する上記の光学パラメータのいくつかの間の関係は、以下のとおりである。
【００７３】
【数１８】
2014044422.tif 000020
【００７４】
【数１９】
2014044422.tif 000021
【００７５】
【数２０】
2014044422.tif 000022
【００７６】
【数２１】
2014044422.tif 000023
【００７７】
図２１（ａ）〜２１（ｄ）は、第５の好ましい実施形態の縦球面収差、サジタル非点収差、タンジェンシャル非点収差、歪曲収差にそれぞれ対応するシミュレーション結果を示している。図２１（ａ）、２１（ｂ）、２１（ｃ）、２１（ｄ）から分かるように、第５の好ましい実施形態では、同様に、系の長さを３ｍｍ未満にまで縮小したとしても、比較的良好な光学性能を実現することが可能である。
【００７８】
図２２を参照する。第１と第６の好ましい実施形態の違いは、第１のレンズ素子３の像側の面３２が凸面であることにある。
【００７９】
第６の好ましい実施形態の面３１〜６１、３２〜６２に対応するいくつかの光学パラメータの値を示す表を、図２３に示している。撮像レンズ１０は、全系の焦点距離が２．１７５ｍｍ、ＨＦＯＶが３１．５７°、系の長さが２．８０５ｍｍである。
【００８０】
第６の好ましい実施形態に対応する上記の光学的関係（１）のいくつかの光学パラメータの値を示す表を、図２４に示している。
【００８１】
第６の好ましい実施形態に対応する上記の光学パラメータのいくつかの間の関係は、以下のとおりである。
【００８２】
【数２２】
2014044422.tif 000024
【００８３】
【数２３】
2014044422.tif 000025
【００８４】
【数２４】
2014044422.tif 000026
【００８５】
【数２５】
2014044422.tif 000027
【００８６】
図２５（ａ）〜２５（ｄ）は、第６の好ましい実施形態の縦球面収差、サジタル非点収差、タンジェンシャル非点収差、歪曲収差にそれぞれ対応するシミュレーション結果を示している。図２５（ａ）、２５（ｂ）、２５（ｃ）、２５（ｄ）から分かるように、第６の好ましい実施形態では、同様に、系の長さを３ｍｍ未満にまで縮小したとしても、比較的良好な光学性能を実現することが可能である。
【００８７】
比較のために、好ましい実施形態に対応する上記の光学パラメータのいくつかの間の上記関係を示す表を、図２６に示している。本実施形態の撮像レンズ１０の光学パラメータの各々が以下の光学的関係を満たしている場合は、系の長さを３ｍｍ未満にまで縮小したとしても、依然として光学性能は比較的良好である。
【００８８】
【数２６】
2014044422.tif 000028
【００８９】
【数２７】
2014044422.tif 000029
【００９０】
【数２７】
2014044422.tif 000030
【００９１】
【数２８】
2014044422.tif 000031
【００９２】
【数２９】
2014044422.tif 000032
【００９３】
撮像レンズ１０が光学的関係（２）を満たしていると、系の長さを縮小するのに好ましい。ＥＦＬ／ＡＧ23＞４５．０である場合は、ＥＦＬが大きいことが、撮像レンズ１０の小型化にとって不都合となることがある一方、ＡＧ23が小さいことは、第２のレンズ素子４と第３のレンズ素子５とが近すぎる可能性があることを示しており、従って、第２のレンズ素子４が、その周縁部近傍に凸部４２２を有するように設計された場合に、第２のレンズ素子４と第３のレンズ素子５との間に、製作公差により干渉が生じ得るので、その結果、アセンブリおよび光学性能に悪影響が及ぼされる。また、ＥＦＬ／ＡＧ23は、１０．０〜４５．０の範囲であることが好ましいが、これに限定されるものではない。
【００９４】
撮像レンズ１０が光学的関係（３）を満たしている場合は、ＡＡＧおよびＣＴ2が適切な長さの範囲内にある。そうでない場合は、ＡＡＧが大きいことが、系の長さの縮小にとって不都合となることがある一方、ＣＴ2が小さいことで、撮像レンズ１０の製造が難しくなることがある。また、ＡＡＧ／ＣＴ2は、１．０〜３．０の範囲であることが好ましいが、これに限定されるものではない。
【００９５】
撮像レンズ１０が光学的関係（４）を満たしている場合は、ＡＬＴおよびＣＴ2が適切な長さの範囲内にある。そうでない場合は、ＡＬＴが大きいことが、系の長さの縮小にとって不都合となることがある一方、ＣＴ2が小さいことで、撮像レンズ１０の製造が難しくなることがある。また、ＡＬＴ／ＣＴ2は、３．０〜８．０の範囲であることが好ましいが、これに限定されるものではない。
【００９６】
撮像レンズ１０が光学的関係（５）を満たしている場合、これは、第１のレンズ素子３と第２のレンズ素子４との間の距離が、第２のレンズ素子４と第３のレンズ素子５との間の距離と等しいか、または大きいことを意味しており、さらに、第１のレンズ素子３の正の屈折力と第２のレンズ素子４の負の屈折力とによって、第１のレンズ素子３および第２のレンズ素子４の光学性能が高められる。また、第１のレンズ素子３と第２のレンズ素子４との間の距離が大きすぎることで小型化に望ましくない影響を及ぼし得ることを防ぐため、または第２のレンズ素子４と第３のレンズ素子５との間の距離が小さすぎることによる干渉を防ぐために、ＡＧ12／ＡＧ23は、１〜５の範囲であることが好ましい。
【００９７】
撮像レンズ１０が光学的関係（６）を満たしている場合は、従来技術を用いて、撮像レンズ１０の系の長さを効果的に縮小することができる。
【００９８】
要約すると、本実施形態の撮像レンズ１０の効果および利点は、以下のように説明される。
１．第１のレンズ素子３の正の屈折力によって、撮像レンズ１０全体で必要な屈折力を提供することができる一方、第２のレンズ素子４の負の屈折力によって、光学収差を補正することができる。
２．第３のレンズ素子５の像側の面５２、および第４のレンズ素子６の物体側の面６１の光軸（Ｉ）近傍に配置される凸部６１１の設計によって、光学性能を損なうことなく、第３のレンズ素子５と第４のレンズ素子６の間隔を縮小することができる。
３．第４のレンズ素子６が、光軸（Ｉ）近傍に凹部６２１を有し、該第４のレンズ素子６の周縁部近傍に凸部６２２を有する像側の面６２を備えることによって、光が比較的水平な光路で像面８に達し得るので、その結果、像面８における光センサの感度が高くなる。
４．第２のレンズ素子４の像側の面４２の、該第２のレンズ素子４の周縁部近傍にある凸部４２２が、第３のレンズ素子５の像側の面５２と協働することで、光学収差を低減させる。
５．ＥＦＬ／ＡＧ23、ＡＡＧ／ＣＴ2、ＡＬＴ／ＣＴ2、およびＡＧ12／ＡＧ23などの関連する光学パラメータの設計によって、球面収差などの光学収差を低減または除去することができる。また、レンズ素子３〜６の凹部と凸部の設計および配置によって、系の長さを縮小した場合でも、依然として光学収差を低減または除去することができ、その結果、比較的良好な光学性能が得られる。
６．上記の６通りの好ましい実施形態によって、経済的メリットを伴う薄型化された関連製品の開発を図るために、本実施形態の系の長さを３ｍｍ未満にまで縮小できることが分かっている。
【００９９】
撮像レンズ１０の第１の適用例を図２７に示しており、この例では、撮像レンズ１０は、電子機器１（携帯電話機など）のハウジング１１内に配置されて、該電子機器１の撮像モジュール１２の一部をなしている。撮像モジュール１２は、撮像レンズ１０が配置される鏡筒２１と、鏡筒２１が配置される台座ユニット１２０と、像面８（図１を参照）に配置されて画像を取り込むために撮像レンズ１０と作用的に関連付けられる撮像センサ１３０と、を有している。
【０１００】
台座ユニット１２０は、鏡筒２１が配置される第１の座部１２１と、第１の座部１２１と撮像センサ１３０との間に介在させる部分を有する第２の座部１２２と、を含んでいる。鏡筒２１、および台座ユニット１２０の第１の座部１２１は、撮像レンズ１０の光軸（Ｉ）と一致する軸（ＩＩ）に沿って延在する。
【０１０１】
撮像レンズ１０の第２の適用例を図２８に示している。第１と第２の適用例の違いは、第２の適用例では、台座ユニット１２０が，ボイスコイルモータ（ＶＣＭ：Ｖｏｉｃｅ‐Ｃｏｉｌ  Ｍｏｔｏｒ）として構成されていることであり、第１の座部１２１は、鏡筒２１が配置される内側部分１２３と、内側部分１２３を取り囲む外側部分１２４と、内側部分１２３と外側部分１２４との間に介在させるコイル１２５と、コイル１２５の外側と外側部分１２４の内側との間に配置される磁性部品１２６と、を含んでいる。
【０１０２】
内側部分１２３と鏡筒２１は、その中の撮像レンズ１０と共に、撮像レンズ１０の光軸（Ｉ）と一致する軸（ＩＩＩ）に沿って、撮像センサ１３０に対して動くことができる。撮像レンズ１０の光学フィルタ７は、外側部分１２４に当接するように配置された第２の座部１２２に配置される。第２の適用例における電子機器１の他の構成要素の構成および配置は、第１の適用例のものと同じであり、従って、簡潔にするため、以下では説明しない。
【０１０３】
本実施形態の撮像レンズ１０によって、それぞれの適用例における電子機器１は、良好な光学性能および撮像性能を有しながら、比較的縮小された全厚となるように構成することができ、これによって、材料のコストが削減され、また、製品の小型化要求が満たされる。撮像レンズ１０の適用および構成は、このようなものに限定されない。
【０１０４】
本発明について、最も現実的かつ好ましい実施形態であると考えられるものに関して説明したが、当然のことながら、本発明は、開示された実施形態に限定されるものではなく、最も広い解釈の趣旨および範囲に含まれる種々の構成を包含し、そのような変形および均等な構成のすべてを網羅するものとする。
【図１】
2014044422.tif 000033
【図２】
2014044422.tif 000034
【図３】
2014044422.tif 000035
【図４】
2014044422.tif 000036
【図５】
2014044422.tif 000037
【図６】
2014044422.tif 000038
【図７】
2014044422.tif 000039
【図８】
2014044422.tif 000040
【図９】
2014044422.tif 000041
【図１０】
2014044422.tif 000042
【図１１】
2014044422.tif 000043
【図１２】
2014044422.tif 000044
【図１３】
2014044422.tif 000045
【図１４】
2014044422.tif 000046
【図１５】
2014044422.tif 000047
【図１６】
2014044422.tif 000048
【図１７】
2014044422.tif 000049
【図１８】
2014044422.tif 000050
【図１９】
2014044422.tif 000051
【図２０】
2014044422.tif 000052
【図２１】
2014044422.tif 000053
【図２２】
2014044422.tif 000054
【図２３】
2014044422.tif 000055
【図２４】
2014044422.tif 000056
【図２５】
2014044422.tif 000057
【図２６】
2014044422.tif 000058
【図２７】
2014044422.tif 000059
【図２８】
2014044422.tif 000060